(57)【要約】【課題】重金属による汚染土壌を効率的に不溶化処理し得る有効適切な工法を提供する。【解決手段】重金属により汚染された汚染土壌１を原位置にて不溶化処理するための工法であって、液体状の不溶化液に顆粒状のポリマー系充填材を添加してなるゲル状の処理材２を地中の処理対象領域に対して加圧注入することにより、該処理材を処理対象領域に滞留せしめた状態で該処理材中の不溶化液を汚染土壌１に接触せしめて汚染物質を不溶化する。ボーリング削孔機や機械攪拌翼式地盤改良機等の削孔手段３によって処理対象領域の深度に達する削孔を形成し、前記削孔手段の先端部に設けたノズル４から前記処理材を地中に噴射することにより、該処理材を処理対象領域に向けて加圧注入することが好ましい。【選択図】図１
2013043134.tif 000002
【特許請求の範囲】
【請求項１】
重金属により汚染された土壌を原位置にて不溶化処理するための工法であって、
液体状の不溶化液に顆粒状のポリマー系充填材を添加してなるゲル状の処理材を地中の処理対象領域に対して加圧注入することにより、該処理材を処理対象領域に滞留せしめた状態で該処理材中の不溶化液を汚染土壌に接触せしめて汚染物質を不溶化することを特徴とする重金属汚染土壌の原位置不溶化処理工法。
【請求項２】
請求項１記載の重金属汚染土壌の原位置不溶化処理工法であって、
ボーリング削孔機や機械攪拌翼式地盤改良機等の削孔手段によって処理対象領域の深度に達する削孔を形成し、前記削孔手段の先端部に設けたノズルから前記処理材を地中に噴射することにより、該処理材を処理対象領域に向けて加圧注入することを特徴とする重金属汚染土壌の原位置不溶化処理工法。
【発明の詳細な説明】
【技術分野】
【０００１】
本発明は汚染土壌の清浄化技術に関わり、特に重金属による汚染土壌を対象として原位置にて汚染物質を不溶化処理するための工法に関する。
【背景技術】
【０００２】
周知のように、汚染土壌に対する不溶化処理工法としては、処理対象の汚染土壌を掘削して地上にて不溶化液と混合して汚染物質を不溶化したうえで現地に埋め戻す掘削処理工法が一般的であるが、近年においてはたとえば特許文献１，２に示されるように不溶化液を汚染領域に直接注入して不溶化する原位置不溶化処理工法も一般化しつつある。
【０００３】
また、特許文献３には、油分による汚染土壌を対象とする不溶化処理方法として、汚染物質としての油分を油分吸着ゲル化材により不溶化するという方法が提案されている。
【先行技術文献】
【特許文献】
【０００４】
【特許文献１】特開平１１−２０７３１４号公報
【特許文献２】特開２００８−２７９３６０号公報
【特許文献３】特開２００３−３４０４４７号公報
【発明の概要】
【発明が解決しようとする課題】
【０００５】
しかし、従前の掘削処理工法では不溶化処理自体よりも掘削および埋め戻しのために多大なコストを要し、特に汚染領域が地中深くに位置している場合には掘削量および埋め戻し量が膨大になるので合理的ではなく現実的ではない。
【０００６】
その点、特許文献１〜２に示されるような原位置不溶化処理工法は掘削処理工法に比べてコスト的には有利ではあるが、汚染土壌が存する地盤の状況によっては十分な効果が得られない場合もある。たとえば礫や玉石が多く存在するような地盤では注入した不溶化液が汚染領域に留まらずに周囲に速やかに拡散してしまうことがあり、その場合には多量の不溶化液が無駄になるばかりでなく不溶化処理が確実になされない懸念もある。
【０００７】
さらに、特許文献３に示される方法では、汚染領域の周囲に油分吸着ゲル化材を含む壁状や柱状の土層を形成するために地表部を掘削して溝を形成し、その溝に油分吸着ゲル化材を掘削土と混合して投入して埋め戻すようにしており、したがって従前の掘削処理工法と同様に掘削と埋め戻しが必要であってコスト的に不利である。
【０００８】
以上のように、従来においては汚染土壌を不溶化処理するための有効な工法は確立されているとはいえず、そのため、特に重金属による汚染土壌を大規模な掘削や埋め戻しを必要とせずに、また地盤の影響を受けることもなく、効率的にかつ確実に不溶化処理し得る有効適切な工法の開発が求められているのが実状である。
【課題を解決するための手段】
【０００９】
上記事情に鑑み、本発明は重金属により汚染された土壌を原位置にて不溶化処理するための工法であって、液体状の不溶化液に顆粒状のポリマー系充填材を添加してなるゲル状の処理材を地中の処理対象領域に対して加圧注入することにより、該処理材を処理対象領域に滞留せしめた状態で該処理材中の不溶化液を汚染土壌に接触せしめて汚染物質を不溶化することを特徴とする。
【００１０】
本発明においては、ボーリング削孔機や機械攪拌翼式地盤改良機等の削孔手段によって処理対象領域の深度に達する削孔を形成し、前記削孔手段の先端部に設けたノズルから前記処理材を地中に噴射することにより、該処理材を処理対象領域に向けて加圧注入することが好ましい。
【発明の効果】
【００１１】
本発明の不溶化処理工法によれば、処理対象領域に対して処理材を直接注入して原位置で不溶化処理するので、従前の掘削処理工法のように大規模な掘削と埋め戻しが不要であって施工性に優れコスト的に遙かに有利である。
特に、本発明では従来一般の原位置不溶化処理工法のように液体状の不溶化液をそのまま使用することに代えて、液体状の不溶化液に顆粒状のポリマー系充填材を添加したゲル状の処理材を使用するので、処理対象領域が礫や玉石の多い地盤であっても処理材が注入位置に安定に滞留して周囲に無駄に拡散してしまうことがなく、したがって従来一般の原位置不溶化処理工法に比べて地盤の影響を受けることが少なく確実かつ効率的な不溶化処理が可能であり、重金属による汚染土壌を原位置にて不溶化処理するための工法として極めて合理的であり有効である。
【図面の簡単な説明】
【００１２】
【図１】本発明の不溶化処理工法の実施形態を示すもので、一連の処理工程を示す図である。
【発明を実施するための形態】
【００１３】
図１に本発明の実施形態である不溶化処理工法における一連の処理工程を示す。
これは、（ａ）に示すように地中深部にある重金属による汚染土壌１を対象として原位置にて汚染物質を不溶化処理するものであるが、本実施形態では汚染物質を不溶化処理するために特殊な処理材２を用いるとともに、その処理材２を地中に噴射することによって処理対象領域に対して加圧注入することを主眼とする。
【００１４】
本実施形態において用いる処理材２は、不溶化処理のための主成分としての液体状の不溶化液に対して、添加成分として顆粒状のポリマー系充填材を添加してゲル状を呈するように調製したものである。
【００１５】
処理材２の主成分である不溶化液としては、特許文献１や特許文献２に示される従来の原位置不溶化処理工法において用いられる不溶化液と同様のものを用いれば良く、たとえば処理対象の汚染物質が六価クロムの場合には第一鉄塩や亜硫酸塩、多硫化物が好適に採用可能であり、汚染物質がセレンである場合には塩化第一鉄が好適に採用可能である。
【００１６】
また、添加成分であるポリマー系充填材は、特許文献３に示される不溶化処理方法においても油分を吸着するための油分吸着ゲル化材の成分として用いられるものであるが、本実施形態において用いる処理材２では汚染物質を不溶化するための主成分はあくまで上記の不溶化液であって、ポリマー系充填材自体は汚染物質を吸着したり不溶化する機能を有するものではなく、このポリマー系充填材は処理材２としての形態を安定なゲル状を呈するものとするために不溶化液に添加されるものである。
【００１７】
すなわち、特許文献１や特許文献２に示されるような従来一般の原位置不溶化処理工法では、液体状の不溶化液を液体のままで地中に注入することから、上述したように地盤状況によっては注入された不溶化液がそれ自体の流動性によって注入個所からその周囲に広範囲に拡散してしまって汚染領域に長く留まっていられず、そのために効率的な処理ができない場合もあるが、本実施形態のように液体状の不溶化液に対して顆粒状のポリマー系充填材を添加し混合することにより、液体状の不溶化液がその本来の不溶化機能を損なうことなく安定にゲル化され、それにより処理材２としての流動性が適度に抑制されたものとなる。
したがって、そのようなゲル状に調製した処理材２を地中に注入することにより、注入された処理材２は周囲に無駄に拡散してしまうことなくその位置に長時間にわたって安定に滞留し、その状態で処理材の主成分である不溶化液が汚染物質に接触して確実かつ十分に不溶化機能を発揮し得るものとなる。
【００１８】
なお、上記の処理材２を地中に注入するためには従来工法における不溶化液の注入手段をそのまま転用することも可能ではあるが、ゲル状を呈する上記の処理材２は単なる液体状の不溶化液よりも当然に流動し難いものであるから、これを地中に注入するためにはたとえば図１（ｂ）に示すようにボーリング削孔機や機械攪拌翼式地盤改良機等の削孔手段３によって処理対象領域の深度に達する削孔を形成し、（ｃ）に示すようにその削孔手段３の先端部に設けたノズル４からゲル状の処理材２をジェット噴流として地中に噴射することにより処理対象領域に向けて加圧注入することが好ましい。
【００１９】
このように、削孔手段３により地盤に削孔を形成したうえで処理材２をノズル４から地中に噴射することにより、処理材２を所望位置に確実に加圧注入することが可能であるし、そこに注入された処理材２はその位置にそのまま長時間にわたって安定に滞留し、その状態で処理材２の主成分である不溶化液が汚染物質と接触するから、（ｄ）に示すようにその位置で汚染物質に対する不溶化処理が進行していき、最終的には（ｅ）に示すように汚染物質が確実に不溶化される。
【００２０】
本実施形態の処理工法によれば、従来一般の原位置不溶化処理工法と同様に汚染物質を原位置で不溶化処理するので、従前の掘削処理工法のように大規模な掘削と埋め戻しが不要であって施工性に優れコスト的に遙かに有利である。
特に、従来一般の原位置不溶化処理工法のように液体状の不溶化液をそのまま使用することに代えて、液体状の不溶化液に顆粒状のポリマー系充填材を添加したゲル状の処理材を使用するので、処理対象領域が礫や玉石の多い地盤であっても処理材が注入位置に安定に滞留して周囲に無駄に拡散してしまうことがなく、したがって従来一般の原位置不溶化処理工法に比べて地盤の影響を受けることが少なく確実かつ効率的な不溶化処理が可能であり、重金属による汚染土壌を原位置にて不溶化処理するための工法として極めて合理的であり有効である。
【符号の説明】
【００２１】
１  汚染土壌
２  処理材
３  削孔手段
４  ノズル
【図１】
2013043134.tif 000003